(57)【要約】【課題】  管路の洗浄構造において、管路内にスポンジ玉を簡便且つ確実に供給できるようにすると共に、スポンジ玉を終端まで流通させるようにする。【解決手段】  飲料供給装置の供給ホースとディスペンサヘッドのホース接続部の間に接続可能な形状で中心に流路を有する本体の側面に、開閉可能な通孔を上記流路と連通するように設け、当該通孔からスポンジ玉を流路に供給する。また、途中に阻害器具を有する管路に取り付ける回路切り換え器であって、基体外面に飲料流入口、阻害器具側流出口、阻害器具側流入口、ディスペンサ流出口を有すると共に、内部に移動回路部を有し、当該移動回路部は、通常使用時には飲料流入口と阻害器具側流出口、及び、阻害器具側流入口とディスペンサ流出口をそれぞれ連通させ、洗浄時には飲料流入口とディスペンサ流出口を直接連通させるように流路が切り換わるようにする。【選択図】  図１
2005329981.tif 000002
【特許請求の範囲】
【請求項１】
飲料供給装置の供給ホースとディスペンサヘッドのホース接続部の間に接続可能な形状で中心に流路を有する本体の側面に、開閉可能な通孔を上記流路と連通するように設け、当該通孔からスポンジ玉を流路に供給するようにしたことを特徴とする飲料供給装置の管路の洗浄構造におけるスポンジ玉供給装置。
【請求項２】
軸方向中心に流路を有する円筒状本体の一端に供給ホースを接続可能としたホース接続部を形成し、上記本体の他端にはディスペンサヘッドのホース接続部に接続可能としたディスペンサヘッド接続部を形成し、上記本体の中間部に上記流路と直交して軸穴を設け、この軸穴にスポンジ玉供給軸を摺動可能に取り付け、上記スポンジ玉供給軸の２個所に上記本体の流路と連通可能とした流通孔を設け、この流通孔にスポンジ玉を挿着するようにした請求項１記載の飲料供給装置の管路の洗浄構造におけるスポンジ玉供給装置。
【請求項３】
軸方向中心に流路を有する円筒状本体の一端に供給ホースを接続可能としたホース接続部を形成し、上記本体の他端にはディスペンサヘッドのホース接続部に接続可能としたディスペンサヘッド接続部を形成し、上記本体の中間部に流路と連通する挿入孔を穿設し、上記本体の中間部外周に帯状の供給リングを摺動可能に嵌着し、この供給リングに上記本体の挿入孔と連通する通孔を設け、この通孔にスポンジ玉を挿入するようにした請求項１記載の飲料供給装置の管路の洗浄構造におけるスポンジ玉供給装置。
【請求項４】
途中に阻害器具を有する管路に取り付ける回路切り換え器であって、基体外面に飲料流入口、阻害器具側流出口、阻害器具側流入口、ディスペンサ流出口を有すると共に、内部に移動回路部を有し、当該移動回路部は、通常使用時には飲料流入口と阻害器具側流出口、及び、阻害器具側流入口とディスペンサ流出口をそれぞれ連通させ、洗浄時には飲料流入口とディスペンサ流出口を直接連通させるように流路が切り換わることを特徴とした飲料供給装置の管路の洗浄構造における回路切り換え器。
【請求項５】
基体の四方外面に飲料流入口、阻害器具側流出口、阻害器具側流入口、ディスペンサ流出口を有すると共に、移動回路部はハンドルによって回動可能な円筒シリンダーであって、その内部にそれぞれ直角方向に湾曲して上記各流入口及び流出口と連通する二つの連通回路を設け、ハンドルを９０度回動することにより流路が切り換わるようにした請求項４記載の飲料供給装置の管路の洗浄構造における回路切り換え器。
【請求項６】
基体の下面に飲料流入口及びディスペンサ流出口を設けると共に、基体の側面に阻害器具側流出口及び阻害器具側流入口を設け、移動回路部は、ハンドルによって回動可能な円筒シリンダーであって、その内部に、直角方向に湾曲して、上記飲料流入口と阻害器具側流出口を連通する連通回路と、阻害器具側流入口とディスペンサ流出口を連通する連通回路を設けると共に、基体内部に上記二つの連通回路と連通可能なＵ字状に湾曲する迂回回路を設け、ハンドルを９０度回動することにより上記連通回路と迂回回路とが直接連通して流路が切り換わるようにした請求項４記載の飲料供給装置の管路の洗浄構造における回路切り換え器。
【請求項７】
基体の下面に飲料流入口及びディスペンサ流出口を設けると共に、基体の上面に阻害器具側流出口及び阻害器具側流入口を設け、移動回路部は、基体に対して左右に摺動可能なシリンダーであって、その内部に、上下方向に直進して、上記飲料流入口と阻害器具側流出口を連通する直通回路と、阻害器具側流入口とディスペンサ流出口を連通する直通回路を設けると共に、これらの直通回路と隣接して、直角方向に湾曲して、二つの連通回路を設け、基体内部に上記二つの連通回路と連通可能なＵ字状に湾曲する迂回回路を設け、シリンダーを左右方向に摺動させることで、直通回路か連通回路かを選択して流路が切り換わるようにした請求項４記載の飲料供給装置の管路の洗浄構造における回路切り換え器。
【請求項８】
基体の下面に飲料流入口及びディスペンサ流出口を設けると共に、基体の上面に阻害器具側流出口及び阻害器具側流入口を設け、移動回路部は、基体に対して前後に摺動可能な二つのシリンダーであって、それぞれの内部に、上下方向に直進して、上記飲料流入口と阻害器具側流出口を連通する直通回路と、阻害器具側流入口とディスペンサ流出口を連通する直通回路を設けると共に、これらの直通回路と隣接して、直角方向に湾曲して、二つの連通回路を設け、基体内部に上記二つの連通回路と連通可能な迂回回路を設け、上記シリンダーは連結板で連結して同時に摺動可能とし、シリンダーを前後方向に摺動させることで、直通回路か連通回路かを選択して流路が切り換わるようにした請求項４記載の飲料供給装置の管路の洗浄構造における回路切り換え器。
【請求項９】
上記請求項１から請求項３のいずれか１項に記載のスポンジ玉供給装置と、上記請求項４から請求項８のいずれか１項記載の回路切り換え器を備えたことを特徴とする飲料供給装置の管路の洗浄構造。
【発明の詳細な説明】
【技術分野】
【０００１】
この発明は、生ビール等の飲料を冷却、供給する飲料ディスペンサを含む飲料供給装置における飲料の管路を洗浄するための構造に関するもので、特に、管路にスポンジ玉を流通させて洗浄する構造に関するものである。
【背景技術】
【０００２】
一般的な飲料供給装置を、生ビールを供給する場合を例に図７に示す。図７において、１２１はビールディスペンサであって、内蔵された冷却コイル管（図示せず）によって生ビールを瞬間的に冷却して、注出コック１２２の開閉によってビールジョッキに適量の生ビールを注ぐことができるものである。１２３は生ビールを貯留するビール樽で、その上端開口にディスペンサヘッド１２４を取り付けて、供給ホース１２５を介して上記ビールディスペンサ１２１と接続されている。また、１２６は炭酸ガスボンベであり、ホース１２７を介して上記ディスペンサヘッド１２４に取り付け、そのガスの圧力でビール樽１２３内の生ビールを供給ホース１２５を介して上記ビールディスペンサ１２１に圧送するようにしたものである。
【０００３】
このような飲料供給装置においては、その飲料が流通する管路（供給ホース及びビールディスペンサ内の冷却コイル管等）の内壁には様々な雑菌や汚れが付着する。例えば、生ビールが栄養分や無機成分を含んでいることから、これらの雑菌等が管路の内壁に付着して、このビールディスペンサから供給される生ビールの品質を劣化させる原因となる。このため、管路を定期的に洗浄する必要があり、この種の飲料供給装置において、管路の洗浄方法や装置が色々と提案されている。
【０００４】
この管路の洗浄方法として最も簡易な方法としては、水道栓にビールの供給ホースを直結し、管路に水道水を流して洗浄する方法がある。また、ビール樽に換えて所定の洗浄水を収納した樽を接続し、これに取り付けたディスペンサヘッドの操作で、炭酸ガスボンベのガス圧を利用して樽内の洗浄水を管路に流通させて洗浄する手段等がある。さらに、特許文献１や特許文献２に示すように、洗浄水を供給する特別の装置を設け、炭酸ガスでポンプを作動させて洗浄水を供給するようにしたものがある。
【０００５】
この場合において、例えば特許文献２の段落２３に示されているように、ディスペンサヘッドから外部飲料ホースを取り外し、そのホースの端部からスポンジ玉を挿入し、管路内をスポンジ玉が流通するようにした手段もある。スポンジ玉を流通させることによって、管路の内壁に付着した各種の汚れを物理的に取り除くことができる。
【０００６】
【特許文献１】実開平６−４９３９８号公報
【特許文献２】特開２０００−２５８９６号公報
【発明の開示】
【発明が解決しようとする課題】
【０００７】
しかしながら、特許文献２に示された手段によると、まず、ガスボンベを操作してガス圧の供給を一旦停止したうえで、外部飲料ホースからディスペンサヘッドを取り外し、この外部飲料ホースのディスペンサヘッド側の側端に球状のスポンジ玉を挿入する。そして、外部飲料ホースを再びディスペンサヘッドに接続したうえで、ガスボンベを操作し、ガス圧の供給を再開する。これにより、飲料通路に挿入したスポンジ玉が、洗浄水と共にポンプ側に流通し、注出口で回収されるものである。従って、スポンジ玉の挿入作業には多大な手間と時間を要するものであった。
【０００８】
一方、図７には図示していないが、管路にはビールストップバルブや流量計などの器具が接続される場合がある。このような器具においては上記スポンジ玉が通らないので、管路を充分に洗浄できないという問題が残される。
【０００９】
本発明は、かかる諸問題を解決するためになされたもので、飲料供給装置の管路の洗浄構造において、管路内にスポンジ玉を簡便且つ確実に供給できるようにすると共に、流量計などスポンジ玉が通過できない器具を管路から遮断して、別回路を構成してスポンジ玉を終端まで流通させるようにする構造を提案するものである。
【課題を解決するための手段】
【００１０】
上述した課題を解決するため、本発明は、飲料供給装置の管路の洗浄構造において、飲料供給装置の供給ホースとディスペンサヘッドのホース接続部の間に接続可能な形状で中心に流路を有する本体の側面に、開閉可能な通孔を上記流路と連通するように設け、当該通孔からスポンジ玉を流路に供給するようにしたスポンジ玉供給装置を設けるという手段を採用した。
【００１１】
そして、具体的には、スポンジ玉供給装置として、軸方向中心に流路を有する円筒状本体の一端に供給ホースを接続可能としたホース接続部を形成し、上記本体の他端にはディスペンサヘッドのホース接続部に接続可能としたディスペンサヘッド接続部を形成し、上記本体の中間部に上記流路と直交して軸穴を設け、この軸穴にスポンジ玉供給軸を摺動可能に取り付け、上記スポンジ玉供給軸の２個所に上記本体の流路と連通可能とした流通孔を設け、この流通孔にスポンジ玉を挿着するようにするという手段を採用した。
【００１２】
また、別の形態として、軸方向中心に流路を有する円筒状本体の一端に供給ホースを接続可能としたホース接続部を形成し、上記本体の他端にはディスペンサヘッドのホース接続部に接続可能としたディスペンサヘッド接続部を形成し、上記本体の中間部に流路と連通する挿入孔を穿設し、上記本体の中間部外周に帯状の供給リングを摺動可能に嵌着し、この供給リングに上記本体の挿入孔と連通する通孔を設け、この通孔にスポンジ玉を挿入するようにするという手段を採用した。
【００１３】
一方、管路にスポンジ玉の流通を阻害する阻害器具がある場合、飲料供給装置の管路の洗浄構造において、途中に阻害器具を有する管路に取り付ける回路切り換え器であって、基体外面に飲料流入口、阻害器具側流出口、阻害器具側流入口、ディスペンサ流出口を有すると共に、内部に移動回路部を有し、当該移動回路部は、通常使用時には飲料流入口と阻害器具側流出口、及び、阻害器具側流入口とディスペンサ流出口をそれぞれ連通させ、洗浄時には飲料流入口とディスペンサ流出口を直接連通させるように流路が切り換わるようにした回路切り換え器を設けるという手段を採用した。
【００１４】
そして、具体的には、基体の四方外面に飲料流入口、阻害器具側流出口、阻害器具側流入口、ディスペンサ流出口を有すると共に、移動回路部はハンドルによって回動可能な円筒シリンダーであって、その内部にそれぞれ直角方向に湾曲して上記各流入口及び流出口と連通する二つの連通回路を設け、ハンドルを９０度回動することにより流路が切り換わるようにした回路切り換え器を設けるという手段を採用した。
【００１５】
また、別の手段として、基体の下面に飲料流入口及びディスペンサ流出口を設けると共に、基体の側面に阻害器具側流出口及び阻害器具側流入口を設け、移動回路部は、ハンドルによって回動可能な円筒シリンダーであって、その内部に、直角方向に湾曲して、上記飲料流入口と阻害器具側流出口を連通する連通回路と、阻害器具側流入口とディスペンサ流出口を連通する連通回路を設けると共に、基体内部に上記二つの連通回路と連通可能なＵ字状に湾曲する迂回回路を設け、ハンドルを９０度回動することにより上記連通回路と迂回回路とが直接連通して流路が切り換わるようにした回路切り換え器を設けるという手段を採用した。
【００１６】
さらに、基体の下面に飲料流入口及びディスペンサ流出口を設けると共に、基体の上面に阻害器具側流出口及び阻害器具側流入口を設け、移動回路部は、基体に対して左右に摺動可能なシリンダーであって、その内部に、上下方向に直進して、上記飲料流入口と阻害器具側流出口を連通する直通回路と、阻害器具側流入口とディスペンサ流出口を連通する直通回路を設けると共に、これらの直通回路と隣接して、直角方向に湾曲して、二つの連通回路を設け、基体内部に上記二つの連通回路と連通可能なＵ字状に湾曲する迂回回路を設け、シリンダーを左右方向に摺動させることで、直通回路か連通回路かを選択して流路が切り換わるようにした回路切り換え器を設けるという手段を採用した。
【００１７】
また、基体の下面に飲料流入口及びディスペンサ流出口を設けると共に、基体の上面に阻害器具側流出口及び阻害器具側流入口を設け、移動回路部は、基体に対して前後に摺動可能な二つのシリンダーであって、それぞれの内部に、上下方向に直進して、上記飲料流入口と阻害器具側流出口を連通する直通回路と、阻害器具側流入口とディスペンサ流出口を連通する直通回路を設けると共に、これらの直通回路と隣接して、直角方向に湾曲して、二つの連通回路を設け、基体内部に上記二つの連通回路と連通可能な迂回回路を設け、上記シリンダーは連結板で連結して同時に摺動可能とし、シリンダーを前後方向に摺動させることで、直通回路か連通回路かを選択して流路が切り換わるようにした回路切り換え器を設けるという手段を採用した。
【００１８】
そして、飲料供給装置の管路の洗浄構造として、上記いずれかのスポンジ玉供給装置と、上記いずれかの回路切り換え器を共に備えた飲料供給装置の管路の洗浄構造とするという手段を採用した。
【発明の効果】
【００１９】
上述した構成の飲料供給装置の管路の洗浄構造は、まず、スポンジ玉供給装置において、供給ホースとディスペンサヘッドのホース接続部の間に固定した供給装置の通孔を介して、極めて簡便にスポンジ玉を管路に供給できるようになった。そして、この場合、供給ホースを取り外したり、ガスの供給を一旦停止したりすることなく、極めて簡単な操作で管路にスポンジ玉を供給できるものである。
【００２０】
一方、回路切り換え器にあっては、移動回路部を介して飲料の流路が切り換わるようにし、阻害器具を管路から切り離して流路を構成するようにしたので、スポンジ玉の流通を阻害することなく、管路を洗浄できるようになった。
【００２１】
そして、本発明に係る飲料供給装置の管路の洗浄構造は、ディスペンサヘッドと供給ホースの間にスポンジ玉供給装置を取り付けると共に、管路の途中に回路切り換え器を介在させたものであるので、管路の洗浄をする場合に、スポンジ玉を極めて簡単に管路に投入できると共に、回路切り換え器によってスポンジ玉が通らない阻害器具を管路から遮断することで、管路内をスポンジ玉が自由に流通し、管路の洗浄を確実に行えるようになるものである。
【発明を実施するための最良の形態】
【００２２】
以下、本発明に係る飲料供給装置の管路の洗浄構造の好ましい実施形態を、図面に従って説明する。図１は管路に洗浄用のスポンジ玉を供給する構造の一例を示すものである。図において、１はビール樽（図示せず）等の上端口部に接続するディスペンサヘッドであって、上端部にはビールディスペンサ（図示せず）にビールを供給するための供給ホース（図示せず）を接続するホース接続部２が形成され、下端にはビール樽の上端開口（図示せず）に接続するための樽接続部３が形成されている。また、４はガス圧によってビールを供給する炭酸ガスボンベ（図示せず）を接続するためのボンベ接続部である。このディスペンサヘッド１は、この種の飲料供給装置において一般的に用いられるものである。
【００２３】
次に、１１はスポンジ玉供給装置であって、供給ホースとホース接続部の間に接続されるものであるが、円筒状の本体１２にスポンジ玉供給軸１３が摺動可能に直交した態様である。本体１２は軸方向の中心にビールの流路１４を形成すると共に、上端外周にはビールの供給ホースが接続可能な形状のホース接続部１５を形成し、下端には、上記ディスペンサヘッド１の上端のホース接続部２に接続可能な形状のディスペンサヘッド接続部１６を形成している。
【００２４】
スポンジ玉供給軸１３は、上記本体１２の中間部にその流路１４と直交して設けた軸穴１７に摺動可能に取り付けられる棒状体であって、当該棒状体の軸と直交して２個所に流通孔１８、１９を設け、この流通孔１８、１９はそれぞれ上記本体１２の流路１４と連通可能としている。そして、このスポンジ玉供給軸１３をその軸方向に押し引きすることによって、流路１４と流通孔１８、１９のいずれか一方とが連通し、流路１４に液体が流通可能となる。
【００２５】
続いて、このスポンジ玉供給装置１１の使用手順について説明する。通常使用時には、ディスペンサヘッド１は樽接続部３を介してビール樽に接続され、ボンベ接続部４には炭酸ガスボンベが接続されている。そして、図１に示したように、ディスペンサヘッド１の上端のホース接続部２に上記スポンジ玉供給装置１１を接続し、さらに、このスポンジ玉供給装置１１のホース接続部１５に供給ホースを接続する。このとき、スポンジ玉供給装置１１のスポンジ玉供給軸１３は流通孔１８が流路１４と連通した状態である。このように接続した状態で炭酸ガスボンベからガス圧を供給しておき、ビールディスペンサの注入コック（図示せず）を操作すると、ビール樽内の生ビールがガス圧によって供給ホース、ビールディスペンサなどの管路に流通し、ジョッキに生ビールを注入できる。
【００２６】
管路を洗浄する場合には、上記ディスペンサヘッド１を一旦ビール樽から取り外し、洗浄水を入れたミニ樽に付け替える。この状態でビールディスペンサを操作すると、管路にミニ樽内の洗浄液が流通し、管路を洗浄することができる。このとき、スポンジ玉供給装置１１において、スポンジ玉供給軸１３の外側に露出している流通孔１９にスポンジ玉（Ｓ）を挿着し、スポンジ玉供給軸１３を押し込むと、スポンジ玉供給装置１１の流路１４と上記流通孔１９が連通し、スポンジ玉（Ｓ）が管路内に供給されることになる。そのため、管路内をスポンジ玉が流通し、管路の内壁に付着した種々の汚れを物理的に効率よくはぎ取り、管路を洗浄することができる。即ち、本装置によれば、従来のようにガスボンベの開閉操作や、供給ホースを取り外す手間を要することなく、極めて簡単な操作で管路にスポンジ玉を供給することができるようになるのである。
【００２７】
次に、図２はスポンジ玉供給装置の他の実施形態を示すもので、ディスペンサヘッド１については上記実施形態と同じ番号を附して説明する。図２において、２１はスポンジ玉供給装置で、円筒状の本体２２の中間部外周に供給リング２３を嵌着した態様である。本体２２は軸方向の中心にビールの流路２４を形成すると共に、上端外周にはビールの供給ホースが接続可能な形状のホース接続部２５を形成し、下端には、上記ディスペンサヘッド１の上端のホース接続部２に接続可能な形状のディスペンサヘッド接続部２６を形成している。また、本体２２の中間部側面には、スポンジ玉を挿入可能な挿入孔２７を穿設している。
【００２８】
供給リング２３は本体２２の中間部外周を摺動可能な所定幅の帯リング状で、その周面に上記本体２２の挿入孔２７と連通する通孔２８を設けている。そして、通常は上記挿入孔２７と通孔２８の位置をずらしておくことによって挿入孔２７を閉止し、流路２４に液体が流通するようにし、挿入孔２７と通孔２８の位置を一致させることで連通した孔からスポンジ玉（Ｓ）を流路２４に投入可能としたものである。
【００２９】
続いて、このスポンジ玉供給装置２１の使用手順について説明する。接続は前記実施形態と同様に、本スポンジ玉供給装置２１をビールの供給ホースとディスペンサヘッドとの間に接続する。上述のように挿入孔２７と通孔２８の位置をずらしておくと、流路２４が確保できるので、この状態で、ビールディスペンサの注入コックを操作することによってジョッキに生ビールを注入できる。管路を洗浄する場合は、ビール樽に換えて洗浄水の入ったミニ樽を接続し、ビールディスペンサの操作によって洗浄水を流通させ管路を洗浄する。このとき、ガスボンベを閉止して洗浄水の流れを一旦休止したうえで、上記挿入孔２７と通孔２８を一致させスポンジ玉（Ｓ）を投入する。再び挿入孔２７と通孔２８の位置をずらして、ガスボンベを開けば、洗浄水と共にスポンジ玉が管路を流通し、管路内壁を洗浄できる。
【００３０】
上述したように、上記スポンジ玉供給装置によれば、簡便に管路内にスポンジ玉を投入できるので、飲料供給装置の管路のスポンジ玉による洗浄が極めて簡単にできるようになった。
【００３１】
ところで、前述したように、管路にはビールストップバルブや流量計など、スポンジ玉の流通を阻害する器具（以下、本明細書で「阻害器具」という。）が接続されている場合がある。このような場合には、単に上記供給装置によってスポンジ玉を投入するだけでは管路を洗浄できない場合が生じる。そこで、管路を形成する場合、阻害器具を一個所にまとめておき、さらに洗浄時には下述する回路切り換え器によって管路を切り換え、阻害器具を管路から切り離す措置を講じることが好ましい。これによってスポンジ玉の一連の流路が確保され、管路を確実に洗浄することができるようになる。
【００３２】
そこで、続いて回路切り換え器の好ましい実施形態について説明する。図３（Ａ）、（Ｂ）はビール樽（Ｂ）からビールディスペンサ（Ｄ）に至る管路の概略を示したもので、また、図３（Ｃ）は回路切り換え器の概略斜視図である。図において、３１は回路切り換え器、５１は種々の阻害器具、また５２〜５５は管路の一部である。回路切り換え器３１は、基体３２の四方外面に飲料流入口３３、阻害器具側流出口３４、阻害器具側流入口３５、ディスペンサ流出口３６をそれぞれ有すると共に、その内部に  移動回路部３７を設けたものである。この移動回路部３７は、基体３２に対して回動可能に設けた円筒シリンダー３８の内部にそれぞれ直角方向に湾曲し、上記各流入口、流出口と連通する二つの連通回路３９、４０を設けたもので、ハンドル４１によって円筒シリンダーを回動することで、流路が切り換わるようになっている。
【００３３】
上記構成の回路切り換え器３１によれば、生ビールを供給する通常の使用時（図（Ａ））には、流路は、ビール樽から管路５２、飲料流入口３３、連通回路３９、阻害器具側流出口３４、管路５３、阻害器具５１、管路５４、阻害器具側流入口３５、連通回路４０、ディスペンサ流出口３６、管路５５をそれぞれ経由してビールディスペンサ（Ｄ）まで構成される。そして、スポンジ玉を利用した洗浄時（図（Ｂ））には、ハンドル４１によって移動回路部３７を９０度回動させ、図３（Ｂ）に示すように、飲料流入口３３とディスペンサ流出口３６を連通回路３９、４０のいずれかで直結し、阻害器具５１を流路から切り離すように構成する。これにより、洗浄水及びスポンジ玉は、阻害器具５１を通過することなく、直接ビールディスペンサ（Ｄ）に流通し、管路内壁を洗浄できる。
【００３４】
次に、図４から図６は上記回路切り換え器の他の実施形態を示すものである。図４に示す回路切り換え器６１おいて、基体６２の下面に飲料流入口６３、ディスペンサ流出口６４を設けると共に、側面に阻害器具側流出口６５、阻害器具側流入口６６を設けている。また、基体６２内の移動回路部６７は、基体６２に対してハンドル６８で回動可能に設けた円筒シリンダー６９の内部に、直角方向に湾曲して、上記飲料流入口６３と阻害器具側流出口６５を連通する連通回路７０と、阻害器具側流入口６６とディスペンサ流出口６４を連通する連通回路７１を設けると共に、基体６２の内部に上記連通回路７０、７１と連通可能なＵ字状に湾曲する迂回回路７２を設けている。そして、ハンドル６８を９０度回動させることで、各連通回路７０、７１が迂回回路７２と直接連通して流路が切り換わるようになっている。
【００３５】
この回路切り換え器６１によれば、生ビールを供給する通常の使用時（図（Ｃ））には、流路は、飲料流入口６３、連通回路７０、阻害器具側流出口６５、阻害器具７３、阻害器具側流入口６６、連通回路７１、ディスペンサ流出口６４の順に構成される。これに対して、洗浄時（図（Ｄ））には、ハンドル６８を９０度回動させることにより、流路は、飲料流入口６３、連通回路７０、迂回回路７２、連通回路７１、ディスペンサ流出口６４の順に構成される。これにより、スポンジ玉は阻害器具７３を通過することなく流通し、管路内壁を洗浄できる。
【００３６】
次に、図５に示す回路切り換え器８１は、基体８２の下面に飲料流入口８３、ディスペンサ流出口８４を設けると共に、上面に阻害器具側流出口８５、阻害器具側流入口８６を設けたものである。また、基体８２内の移動回路部８７は、基体８２に対して左右に摺動可能に設けたシリンダー８８の内部に、上下方向に直進して、上記飲料流入口８３と阻害器具側流出口８５を連通する直通回路８９と、阻害器具側流入口８６とディスペンサ流出口８４を連通する直通回路９０を設けると共に、この直通回路８９、９０と隣接して、直角方向に湾曲して、連通回路９１、９２を設けている。さらに、基体８２の内部に上記連通回路９１、９２を互いに連通するＵ字状に湾曲した迂回回路９３を設けている。そして、シリンダー８８を左右方向に摺動させることで、直通回路か連通回路かを選択して流路が切り換わるようになっている。なお、この場合、シリンダー８８は図示した円筒状に限定されず、角柱状であってもよい。
【００３７】
この回路切り換え器８１によれば、生ビールを供給する通常の使用時（図（Ａ））には、流路は、飲料流入口８３、直通回路８９、阻害器具側流出口８５、阻害器具９４、阻害器具側流入口８６、直通回路９０、ディスペンサ流出口８４の順に構成される。これに対して、洗浄時（図（Ｂ））には、シリンダー８８を左方向に摺動させることにより、流路は、飲料流入口８３、連通回路９１、迂回回路９３、連通回路９２、ディスペンサ流出口８４の順に構成される。これにより、スポンジ玉は阻害器具９４を通過することなく流通し、管路内壁を洗浄できる。
【００３８】
次に、図６に示す回路切り換え器１０１は、基体１０２の下面に飲料流入口１０３、ディスペンサ流出口１０４を設けると共に、上面に阻害器具側流出口１０５、阻害器具側流入口１０６を設けたものである。また、基体１０２内の移動回路部１０７は、基体１０２に対して前後に摺動可能に設けた二つのシリンダー１０８、１０９の内部に、それぞれ上下方向に直進して、上記飲料流入口１０３と阻害器具側流出口１０５を連通する直通回路１１０と、阻害器具側流入口１０６とディスペンサ流出口１０４を連通する直通回路１１１を設けると共に、この直通回路１１０、１１１と隣接して、直角方向に湾曲して、連通回路１１２、１１３を設けている。さらに、基体１０２の内部に上記連通回路１１２、１１３を互いに連通する迂回回路１１４を設けている。上記シリンダー１０８、１０９は連結板１１５で連結して同時に摺動可能とし、このシリンダー１０８、１０９を前後方向に摺動させることで、直通回路か連通回路かを選択して流路が切り換わるようになっている。なお、この場合、シリンダーは図示した円筒状に限定されず、角柱状であってもよい。
【００３９】
この回路切り換え器１０１によれば、生ビールを供給する通常の使用時（図（Ｃ））には、流路は、飲料流入口１０３、直通回路１１０、阻害器具側流出口１０５、阻害器具１１６、阻害器具側流入口１０６、直通回路１１１、ディスペンサ流出口１０４の順に構成される。これに対して、洗浄時（図（Ｄ））には、シリンダー１０８、１０９を前方向に摺動させることにより、流路は、飲料流入口１０３、連通回路１１２、迂回回路１１４、連通回路１１３、ディスペンサ流出口１０４の順に構成される。これにより、スポンジ玉は阻害器具１１６を通過することなく流通し、管路内壁を洗浄できる。
【００４０】
上述したように、回路切り換え器は、ハンドルを回動し、或いはシリンダーを摺動させることによって、移動回路部の回路を切り換えて阻害器具を回路から切り離すようにしてスポンジ玉の流路を確保するようにしたものである。また、上記した移動回路部の直通回路、連通回路、迂回回路は、直進また湾曲した通路で構成しているので、スポンジ玉がスムーズに流通することができるものである。
【００４１】
以上述べたように、本発明に係る飲料供給装置における洗浄構造は、ディスペンサヘッドと供給ホースの間にスポンジ玉供給装置を取り付けると共に、管路の途中に回路切り換え器を介在させたものであるので、管路の洗浄をする場合に、スポンジ玉を極めて簡単に管路に投入できると共に、回路切り換え器によってスポンジ玉が通らない阻害器具を管路から遮断することで、管路内をスポンジ玉が自由に流通し、管路の洗浄を確実に行えるようになるものである。
【図面の簡単な説明】
【００４２】
【図１】（Ａ）は本発明に係るスポンジ玉供給装置をディスペンサヘッドに取り付けた状態を示す断面図、（Ｂ）はスポンジ玉供給装置の斜視図である。
【図２】スポンジ玉供給装置の他の実施形態を示すもので、（Ａ）はディスペンサヘッドに取り付けた状態を示す断面図、（Ｂ）は斜視図である。
【図３】回路切り換え器の実施形態の一例を示すもので、（Ａ）は通常の使用状態を示し、（Ｂ）は洗浄時を示すものである。また（Ｃ）は斜視図である。
【図４】回路切り換え器の他の実施形態を示すもので、（Ａ）は平面図、（Ｂ）は正面図、（Ｃ）は通常使用時の側面図、（Ｄ）は洗浄時の側面図である。
【図５】回路切り換え器の他の実施形態を示すもので、（Ａ）は通常使用時の平面図、（Ｂ）は洗浄時の平面図、（Ｃ）は正面図、（Ｄ）は側面図である。
【図６】回路切り換え器の他の実施形態を示すもので、（Ａ）は平面図、（Ｂ）は正面図、（Ｃ）は通常使用時の側面図、（Ｄ）は洗浄時の側面図である。
【図７】一般的な飲料供給装置について、生ビールを供給する場合を例にした概略図である。
【符号の説明】
【００４３】
１    ディスペンサヘッド
２    ホース接続部
１１    スポンジ玉供給装置
１２    本体
１３    スポンジ玉供給軸
１４    流路
１５    ホース接続部
１６    ディスペンサヘッド接続部
１７    軸穴
１８    流通孔
１９    流通孔
２２    本体
２３    供給リング
２４    流路
２５    ホース接続部
２６    ディスペンサヘッド接続部
２７    挿入孔
２８    通孔
３１、６１、８１、１０１    回路切り換え器
３２、６２、８２、１０２    基体
３３、６３、８３、１０３    飲料流入口
３４、６５、８５、１０５    阻害器具側流出口
３５、６６、８６、１０６    阻害器具側流入口
３６、６４、８４、１０４    ディスペンサ流出口
３７、６７、８７、１０７    移動回路部
３８、６９    円筒シリンダー
３９、７０、９１、１１２    連通回路
４０、７１、９２、１１３    連通回路
４１、６８    ハンドル
７２、９３、１１４    迂回回路
８８、１０８、１０９    シリンダー
８９、１１０    直通回路
９０、１１１    直通回路
１１５    連結板
【図１】
2005329981.tif 000003
【図２】
2005329981.tif 000004
【図３】
2005329981.tif 000005
【図４】
2005329981.tif 000006
【図５】
2005329981.tif 000007
【図６】
2005329981.tif 000008
【図７】
2005329981.tif 000009